(57)【特許請求の範囲】
【請求項１】
容器に結合するためのハウジングであって、開口を含む第１の側壁を有するハウジングと、
トリガーであって、前記ハウジングの外側に配設された把持部分と、前記第１の側壁の前記開口を通って延び、かつ、前記第１の側壁から離間した支点に枢動可能に結合されたアームとを有するトリガーと、
前記ハウジングに結合されたキャップと、
前記キャップから懸架しているマニホールドと、
を備え、
前記トリガーが非作動位置から作動位置まで移動するときに、前記把持部分の最下点は、第１の弓形経路に沿って移動し、前記マニホールドの一部分は、前記第１の弓形経路に対向する第２の弓形経路に沿って移動し、
前記マニホールドの前記一部分が前記第２の弓形経路に沿って移動するとき、前記一部分は前記第１の側壁に向かう、放出システム。
【請求項２】
前記マニホールドが、第１の継手及び第２の継手を含む、請求項１に記載の放出システム。
【請求項３】
前記第１の継手が、前記マニホールドと前記キャップとの間に配設された連結部を備える、請求項２に記載の放出システム。
【請求項４】
前記第２の継手が、前記マニホールドの第１の流路及び前記マニホールドの第２の流路に結合されたブレースを備える、請求項２又は３に記載の放出システム。
【請求項５】
前記マニホールドが、前記キャップと一体である、請求項１〜４のうちのいずれかに記載の放出システム。
【請求項６】
前記マニホールドが突起を含み、前記トリガーが、前記突起に係合するカムを含む、請求項１〜５のうちのいずれかに記載の放出システム。
【請求項７】
前記トリガーが、空間を規定するために前記アームから離間している第２のアームを備え、前記マニホールドが、前記空間を通って延びる、請求項１〜６のうちのいずれかに記載の放出システム。
【請求項８】
前記アームに結合されたばねをさらに備え、前記ばねが、前記アームと前記ハウジングとの間で圧縮する、請求項１〜７のうちのいずれかに記載の放出システム。
【請求項９】
前記マニホールドが、第１の撓曲区域及び第２の撓曲区域を有する流路を含む、請求項１〜８のうちのいずれかに記載の放出システム。
【請求項１０】
前記アームが、前記第１の側壁に対向する、前記ハウジングの第２の側壁に配設されたリブに枢動可能に結合される、請求項１〜９のうちのいずれかに記載の放出システム。
【請求項１１】
前記放出システムが、長手方向軸を有し、
前記マニホールドと流体連通する吐出開口、をさらに備え、
前記マニホールドが、容器のバルブステムを受ける末端部分を有し、前記長手方向軸に対して直角な第１の平面は、前記吐出開口を通過し、前記長手方向軸に対して直角な第２の平面は、前記トリガーの回転軸を通過し、前記長手方向軸に対して直角な第３の平面は、前記マニホールドの前記末端部分を通過し、前記第２の平面が、前記第１の平面と前記第３の平面との間に配設される、
請求項１〜１０のうちのいずれかに記載の放出システム。
【請求項１２】
マウンティングカップを含む容器をさらに備え、前記長手方向軸に対して直角な第４の平面は、前記マウンティングカップの最下点を通って延び、前記トリガーの前記把持部分の最下点は、前記トリガーが前記容器に動作可能に結合されたとき、前記マウンティングカップの前記最下点の下方に配設される、請求項１１に記載の放出システム。
【請求項１３】
前記トリガーの前記把持部分の下端部が、前記第１の側壁に向かって移動して、前記マニホールドに係合することになる、請求項１〜１２のうちのいずれかに記載の放出システム。
【発明の詳細な説明】
【技術分野】
【０００１】
［連邦政府資金援助研究開発に関する参照］
適用なし
【０００２】
［配列表の参照］
適用なし
【０００３】
本開示は、流体製品を放出するための装置に関し、特に、手動で作動可能な放出システムに関する。
【背景技術】
【０００４】
従来の放出システムは、エアゾール容器に結合されたオーバーキャップを採用する。典型的には、オーバーキャップの下端部又はスカートは厚く、オーバーキャップが容器に結合されたときに、容器に対して段差又はリッジを形成する。消費者はしばしば、放出システムを把持するときに段差又はリッジが不快であることに気づく。さらに、従来のオーバーキャップは、平均サイズよりも大きい、又は平均サイズよりも小さい手の消費者に適していないことがある。
【０００５】
また、このような放出システムは、典型的には、トリガー又はボタンのようなアクチュエータを含む。ユーザによってアクティブ化されると、アクチュエータは、マニホールドに、容器のバルブステムを作動させる。マニホールドは、典型的には、バルブステムと流体連通する吐出口を有するスプレーインサートを含む。従来は、アクチュエータの作動中、マニホールド全体がオーバーキャップに対して移動する。その結果、放出システムは、流体製品を不正確に噴霧したり、又はユーザの手の一部上での望ましくない動きを必要とすることがある。
【発明の概要】
【０００６】
第１の態様によれば、放出システムは、容器に結合するためのハウジングを含む。ハウジングは、開口を含む第１の側壁を有する。オーバーキャップはまた、ハウジングの外側に配設された把持部分、及び第１の側壁の開口を通って延び、かつ、第１の側壁から離間した支点に枢動可能に結合されたアーム、を有するトリガーを含む。オーバーキャップは、ハウジングに結合されたキャップと、キャップから懸架しているマニホールドと、をさらに含む。
【０００７】
別の態様によれば、放出システムは、容器に結合するためのハウジングを含む。ハウジングは、開口を含む第１の側壁を有する。オーバーキャップはまた、ハウジングに枢動可能に結合されたトリガー、及びハウジングに結合されたキャップを含む。マニホールドは、キャップと一体である。
【０００８】
異なる態様によれば、放出システムは、長手方向軸、及び開口を有する第１の側壁、を含むハウジングを有する。放出システムはまた、ハウジングの外側に配設された把持部分及びアーム、を有するトリガーを含む。アームは、第１の側壁の開口を通って延び、かつ、第１の側壁に対向するハウジングの第２の側壁に枢動可能に結合される。放出システムは、ハウジングに結合されたキャップ、及びキャップから懸架しているマニホールド、をさらに含む。マニホールドは、容器のバルブステムを受ける末端部分を有する。吐出開口は、マニホールドと流体連通している。長手方向軸に対して直角な第１の平面は、吐出開口を通過し、長手方向軸に対して直角な第２の平面は、トリガーの回転軸を通過し、長手方向軸に直角な第３の平面は、マニホールドの前記末端部分を通過する。第２の平面は、第１の平面と第３の平面との間に配設されている。
【０００９】
さらに別の態様によれば、放出システムは、マウンティングカップ及び中央長手方向軸を有する容器を含む。容器の第１の最外点は、中央長手方向軸に対して直角な第１の線に沿って、前記中央長手方向軸から第１の距離である。オーバーキャップは、容器に結合される。オーバーキャップは、枢動可能なトリガーを含む。トリガーの第２の最外点は、中央長手方向軸に対して直角な第２の線に沿って、前記中央長手方向軸から第２の距離である。第２の距離は、第１の距離よりも短く、トリガーの把持部分は、中央長手方向軸に沿った方向において容器のマウンティングカップの下方に延びる。
【００１０】
さらに別の態様によれば、放出システムは、マウンティングカップを含む容器を含む。容器は、第１の占有面積を有する。オーバーキャップは、容器に結合される。オーバーキャップは、第２の占有面積を有し、放出システムが直立位置にあるときに容器のマウンティングカップの下方に延びる一部分を有する枢動可能なトリガーを含む。オーバーキャップの第２の占有面積は全体的に、第１の占有面積内に配設される。
【００１１】
別の態様によれば、放出システムは、半径及び半径に対して直角な中央長手方向軸を含む円筒部分を有する容器を含む。ハウジングは、容器に結合される。放出システムはまた、ハウジングに枢動可能に結合されたトリガーを含む。トリガーの把持部分は、ハウジングの外側に配設され、把持部分のいずれの部分も、長手方向軸に対して直角な方向で円筒部分の半径に等しい距離よりも、長手方向軸から遠くには配設されていない。
【００１２】
別の態様によれば、オーバーキャップは、第１の側壁及び第１の側壁に対向する第２の側壁を有する、ハウジングを含む。トリガーは、枢動可能にハウジングに結合され、第１の側壁に隣接してハウジングの外側に配設された把持部分を有する。把持部分の長さは、約４０ミリメートル〜約６０ミリメートルである。把持部分は凹状であり、第１の曲率半径を有し、第２の側壁は凹状であり、第１の曲率半径よりも小さい第２の曲率半径を有する。オーバーキャップは、約３０ミリメートル〜約５０ミリメートルのウエストを有する。
【００１３】
異なる態様によれば、放出システムは、ハウジング及び吐出口を含む。トリガーは、第１の位置から第２の位置まで回転するようにハウジングに枢動可能に結合された把持部分を有する。把持部分は、上面、及び放出システムが直立位置にあるときに吐出口の下方に配設される内面、を有する。把持部分の上面は、把持部分が第１の位置から第２の位置まで回転するときに外向きに移動して、上面又は内面のうちの少なくとも１つが、吐出口を介して吐出された流体製品をハウジングの内部へと方向付けることを可能にする。
【００１４】
さらに別の態様によれば、放出システムは、容器及び容器に結合されたハウジングを含む。ハウジングは、スカートの端部の厚さが約０．３ミリメートル〜約１．０ミリメートルとなるように、外面に向かって延びた内面を有する可撓性のスカートを含む。容器から結合解除された第１の状態のスカートは、第１のサイズを有する開口を規定し、容器に結合した第２の状態のスカートは、第１のサイズよりも大きい第２のサイズを有する開口を規定し、スカートと容器との間に周囲流体封止を形成する。
【００１５】
異なる態様によれば、放出システムは、容器及び容器に結合されたハウジングを含む。ハウジングは可撓性のスカートを含み、可撓性のスカートは、スカートの端部から離間しているスカートの区域の第１の厚さとスカートの端部の第２の厚さの比が約１．５：１よりも大きくなるように、外面に向かって延びる内面を有する。容器から結合解除された第１の状態のスカートは、第１のサイズを有する開口を規定し、容器に結合した第２の状態のスカートは、第１のサイズよりも大きい第２のサイズを有する開口を規定し、スカートと容器との間に周囲流体封止を形成する。
【００１６】
異なる態様によれば、放出システムは、容器に結合するためのハウジングを含む。ハウジングは、開口を含む第１の側壁を有する。本システムはまた、ハウジングの外側の配設された把持部分、及び第１の側壁の開口を通って延び、かつ、第１の側壁に対向するハウジングの第２の側壁に枢動可能に結合されたアーム、を有するトリガーを含む。本システムは、ハウジングに結合されたキャップと、キャップから懸架しているマニホールドと、をさらに含む。トリガーは、トリガーの第１の部分が第１の弓形経路に沿って移動するときにマニホールドの第２の部分が第１の弓形経路に対向する第２の弓形経路に沿って移動するように、マニホールドに動作可能に結合される。
【図面の簡単な説明】
【００１７】
【図１】放出システムの前方頂部等角図である。
【図２】図１の放出システムの容器の前方頂部等角図である。
【図３】図１の放出システムのオーバーキャップの前方頂部等角図である。
【図４】図３のオーバーキャップのトリガーの底面図である。
【図５】図４のトリガーの後方底部等角図である。
【図６】図３のオーバーキャップのハウジングの前方頂部等角図である。
【図７】図６のハウジングの後方頂部等角図である。
【図８】図２の容器に結合された図６及び図７のハウジングを示す、図１の線８−８に沿った拡大部分断面図である。
【図９】図２の容器に結合された図３のオーバーキャップを示す、図１の線９−９に沿った断面図であり、明快のために概略的に示されている。
【図１０】図３のマニホールド及びオーバーキャップのキャップの前方等角図である。
【図１１】図１０のマニホールドと流体連通する図２の容器のバルブステムの拡大側面図である。
【図１２】図４及び図５のトリガーが第１の又は非作動位置にあることを示す、図１の線１２−１２に沿った断面図である。
【図１３】図４及び図５のトリガーが第２の又は作動位置に示されている、図１２に示したものと同様の断面図である。
【図１４】図１２及び図１３のトリガー及びマニホールドの弓形経路をさらに示す、図１２に示したものと同様の断面図である。
【図１５】図１２〜図１４のトリガーの弓形経路をさらに示す、図１に示したものと同様の断面図である。
【図１６】図３のオーバーキャップのレールを示す、図１２の一部分の拡大断面図である。
【図１７】第２の状態のマニホールドの概略図に関して示された第１の状態で概略的に示される、図１２のマニホールドの断面図である。
【図１８】図１〜図１７の放出システムの容器の第１の占有面積及びオーバーキャップの第２の占有面積を示す頂部概略図である。
【図１９】図１〜図１８の放出システムを実装するために使用され得る代表的な寸法をさらに備える、図１２に示したものと同様の断面図である。
【図２０】トリガー接触点の第１の経路及びマニホールド接触点の第２の経路を示す、図４及び図５のトリガー及び図１０のマニホールドの拡大側面図である。
【図２１】トリガーの例示的な変位マグニチュードに対する、図４及び図５のトリガーに印加される例示的な力のグラフである。
【図２２】オーバーキャップと容器との間の代替的な結合を示す、図１の線２２−２２に沿った拡大断面図である。
【図２３】図１〜図２０の放出システムを示す、図１の線２３−２３に沿った断面図である。
【図２４】図１〜図２３の放出システムを実装するために採用され得る開封防止デバイスの斜視図である。
【発明を実施するための形態】
【００１８】
図１は、本明細書に開示する例示的な放出システム１００を示す。図１の放出システム１００は、オーバーキャップ１０２及びエアゾール容器１０４を含む。オーバーキャップ１０２は、ハウジング１０６、トリガー１０８、キャップ又は蓋１１０、及びスプレーインサート１１２を含む。容器１０４は、香料、殺虫剤、防臭剤、殺真菌剤、殺菌剤、消毒剤、ペット用バリア、或いはキャリア液（たとえば、油性及び／又は水性キャリア）、消臭液などの中に設けられた他の活性揮発性物質又は他の化合物のような、流体製品を保持及び／又は貯蔵する。たとえば、液体は、エス．シー．ジョンソン  アンド  サン、インコーポレイテッド（Ｓ．Ｃ．Ｊｏｈｎｓｏｎ＆Ｓｏｎ、Ｉｎｃ．（米国ウィスコンシン州ラシーン））により販売される、家庭用途、業務用途、及び企業用途のためのＰＬＥＤＧＥ（登録商標）表面洗浄活性剤、ＲＡＩＤ（登録商標）殺虫活性剤、ＯＵＳＴ（登録商標）、空気及びカーペット消毒剤、或いはＧＬＡＤＥ（登録商標）脱臭剤を含み得る。液体は、消毒剤、空気及び／又はファブリックフレッシュナー、洗剤、臭気除去剤、カビ抑制剤、防虫剤など、或いはアロマセラピー特性を有する他のもののような、他の活性剤を含み得る。液体は、代替的には、容器１０４から放出することが可能な、当業者に既知の任意の流体を含む。容器１０４は、たとえば、圧縮ガス、液化石油ガス（ＬＰＧ）、並びに／或いは、容器１０４から流体製品を放出することを可能にする１つ又は複数の追加の及び／又は代替的な推進剤のような、推進剤を採用することができる。
【００１９】
図２は、図１の容器１０４の等角図である。容器１０４は、容器１０４の第１の端部２０２に配設されたマウンティングカップ２００を含む。図２のマウンティングカップ２００は、環状リッジを含む。他の実施形態では、マウンティングカップ２００は、他の形状でもよく、及び／又は異なる構成を有してもよい。マウンティングカップ２００内部の容器１０４の第１の端部２０２にペデスタル（台座）２０４が配設される。図２のペデスタル２０４は、円筒形の突起である。図示の実施形態では、マウンティングカップ２００とペデスタル２０４とは、一体に形成される、及び／又は一体である。他の実施形態では、ペデスタル２０４は、他の形状及び／又は構成を有し得る。ペデスタル２０４は、ペデスタル２０４から垂直バルブステム２０８がそこを通って延びる開口２０６を含む。垂直バルブステム２０８は、容器１０４に配設されたバルブアセンブリ（図示せず）に動作可能に結合される。バルブステム２０８を押下すると、バルブアセンブリが開き、容器１０４からバルブステム２０８を介して流体製品を吐出することが可能になる。他の実施形態では、作動時に流体を吐出するために、チルトバルブステムを同様に採用してもよい。図示の実施形態では、容器１０４は、第２の又は底端部２１０を含み、第２の端部２１０は、第２の端部２１０が、図２に示すような直立位置で表面上に容器１０４を支持することを可能にするように整形及び寸法決定される。容器２１０はまた、円筒部分２１２及びネック２１４を含む。図２の容器１０４は、中央長手方向軸２１６を有する。
【００２０】
図３は、図１のオーバーキャップ１０２の等角図である。図３のトリガー１０８は、サドル形状又は双曲放物線形状の把持部分３００を含む。したがって、把持部分３００は、第１の湾曲軸３０２と第１の湾曲軸３０２に実質的に直交する第２の湾曲軸３０４とを中心に湾曲している。他の実施形態では、把持部分３００は、他の形状を有する。把持部分３００は、ハウジング１０６の外側に配設されており、したがって、ユーザが１本又は複数本の指によってハウジング１０６に向かって把持部分３００を握りしめることができるように、ユーザは把持部分３００にアクセス可能である。図示の実施形態では、把持部分３００は、ハウジング１０６の第１の側壁３０６に隣接してハウジングの外側にある。また、放出システム１００が、したがって、オーバーキャップ１０２が部分的直立位置又は直立位置にあるとき、トリガー１０８の把持部分３００は、スプレーインサート１１２の下方に配設される。したがって、放出システム１００が部分的直立位置又は直立位置にあるとき、スプレーインサート１１２の吐出口３０８は、トリガー１０８の把持部分３００の上方に配設される。したがって、放出システム１００が直立位置又は部分的直立位置にあるときにユーザがオーバーキャップ１０２及び／又は容器１０４を把持する場合、スプレーインサート１１２の吐出口３０８は、把持部分３００を介してトリガー１０８を作動させるために使用されるユーザの１本又は複数本の指よりも上方に配設される。ただし、図１６に関連して以下でより詳細に説明するように、いくつかの実施形態では、トリガー１０８の上側又は第１の端部３１０は、トリガー１０８の作動中、ハウジング１０６から離れて吐出口３０８とユーザの指との間の位置まで移動し、それにより、トリガー１０８は、流体製品が滴下している場合には、滴下がユーザの手に接触することを防止する。
【００２１】
図４は、図１及び図３のトリガー１０８の底面図である。図示の実施形態では、トリガー１０８は、第１のアーム４００及び第２のアーム４０２を含む。他の実施形態では、トリガー１０８は、他の個数のアーム（たとえば、１つ、３つ、４つ、５つ、６つ・・・など）を含む。第１のアーム４００及び第２のアーム４０２のそれぞれ対応する近位端４０４、４０６は、把持部分３００に結合されている。図示の実施形態では、第１のアーム４００及び第２のアーム４０２は、第１のアーム４００と第２のアーム４０２と把持部分３００を一体に形成することによって、把持部分３００に結合されている。たとえば、第１のアーム４００、第２のアーム４０２及び把持部分３００は、単一のプラスチック部品であり得る。他の実施形態では、第１のアーム４００及び／又は第２のアーム４０２は、１つ又は複数の機械的ファスナ（たとえば、釘、ねじ、クリップ、クランプ、テープ、溶接部、糸など）、及び／又は化学的ファスナ（たとえば、グルー、エポキシーなど）によって把持部分３００に結合され得る。第１のアーム４００及び第２のアーム４０２は、把持部分３００から延びる。図示の実施形態では、第１のアーム４００は、第２のアーム４０２に対して実質的に平行である。いくつかの実施形態では、第１のアーム４００及び第２のアーム４０２は、把持部分３００に実質的に直交する。他の実施形態では、第１のアーム４００及び第２のアーム４０２は、把持部分３００に対して他の角度で配向される。
【００２２】
トリガー１０８は、ピボット４０８を含む。図示の実施形態では、ピボット４０８は、第１のアーム４００の第１の遠位端４１０から第２のアーム４０２の第２の遠位端４１２まで延びる横梁である。ピボット４０８は、トリガー１０８の回転軸４１４を規定する。また、トリガー１０８は、第１のブレース４１６及び第２のブレース４１８を含む。トリガー１０８に剛性を提供するために、第１のブレース４１６及び第２のブレース４１８の各々は、第１のアーム４００から第２のアーム４０２まで延びる。トリガー１０８に剛性を提供するために、第３のブレース４２０は、第２のブレース４１８から把持部分３００まで延びている。図示の実施形態では、第１のアーム４００と、第２のアーム４０２と、ピボット４０８と、第１のブレース４１６と、第２のブレース４１８と、第３のブレース４２０と、把持部分３００とは、一体であり、及び／又は一体に形成される。他の実施形態では、ピボット４０８、第１のブレース４１６、第２のブレース４１８及び／又は第３のブレース４２０は、１つ又は複数の機械的及び／又は化学的ファスナを介して、第１のアーム４００、第２のアーム４０２及び／又は把持部分３００に結合される。図示の実施形態では、第１のブレース４１６、第２のブレース４１８、第１のアーム４００及び第２のアーム４０２は、空間又は開口４２２を規定する。以下に詳述するように、開口４２２を通ってマニホールド６００（図１０を参照）が延びている。トリガー１０８は、トリガー１０８の作動中にトリガー１０８が実質的に偏向又は屈曲しないように十分に剛性を有する。
【００２３】
図５は、図４のトリガー１０８の底部後方等角図である。トリガー１０８は、第１のばね４２４及び第２のばね４２６を含む。図示の実施形態では、第１のばね４２４は、ピボット４０８と第１のブレース４１６との間で第１のアーム４００に結合されたバーである。第１のばね４２４は、図５の配向において、第１のアーム４００から下向きかつ後方に延びる。第２のばね４２６は、ピボット４０８と第１のブレース４１６との間で第２のアーム４０２に結合されたバーである。第２のばね４２６は、図５の配光において、第２のアーム４０２から下向きかつ後方に延びる。以下でより詳細に説明するように、トリガー１０８が回転して容器１０４のバルブステム２０８を作動させたるとき、第１のばね４２４は、第１のアーム４００とハウジング１０６との間で圧縮及び／又は屈曲し、第２のばね４２６は、第２のアーム４０２とハウジング１０６との間で圧縮及び／又は屈曲する。
【００２４】
トリガー１０８は、第１の接触面４３０及び第２の接触面４３２を含む。第１の接触面４３０及び第２の接触面４３２は、第１のアーム４００及び第２のアーム４０２のそれぞれ対応する下面４３４、４３６によって規定される。図示の実施形態では、第１の接触面４３０及び第２の接触面４３２は、第１の接触面４３０及び第２の接触面４３２がカムとなるように湾曲している。以下に詳述するように、第１の接触面４３０及び第２の接触面４３２は、マニホールド６００（図１０を参照）を容器１０４に向かって移動させ、容器１０４のバルブステム２０８を作動させるように、マニホールド６００に係合（たとえば、接触）する。再び図５に着目すると、把持部分３００の第２の又は下端部４３８は、第１の接触面４３０及び第２の接触面４３２を移動させてマニホールド６００と係合させるように、第１の側壁３０６及び容器１０４（図２を参照）に向かって移動する。図示の実施形態では、把持部分３００の厚さは、把持部分３００の第１の端部３１０から第２の端部４３８まで減少又は変更する。たとえば、第１の端部３１０における把持部分３００の第１の厚さは、約１．６ミリメートルであり得、第２の端部４３８における把持部分３００の第２の厚さは、約０．７ミリメートルであり得る。したがって、第２の厚さは、第１の厚さ未満であり得る。他の実施形態では、把持部分３００は、他の厚さを有する。
【００２５】
図６は、図１及び図３のハウジング１０６の頂部等角図である。図示の実施形態では、ハウジング１０６の第１の側壁３０６は、第１の開口５００及び第２の開口５０２を規定する。第１の開口５００は、矩形である。他の実施形態では、第１の開口５００は、他の形状である。図示の実施形態では、ハウジング１０６は、支点５０４を含む。図６の支点５０４は、第１のリブ５１０及び第２のリブ５１２のそれぞれ対応する第１のノッチ５０６及び第２のノッチ５０８によって規定される。リブ５１０、５１２は、第１の側壁３０６に対向する、ハウジング１０６の第２の側壁５１４に配設される。他の実施形態では、支点５０４は、１つ又は複数の追加の及び／又は代替のヒンジ式の回転可能又は枢動可能な構造によって規定され、たとえば、支点５０４の代わりに、又はそれに加えて、一体ヒンジを使用してもよい。図１２を参照して以下に詳述するように、第１のアーム４００及び第２のアーム４０２は、ピボット４０８が支点５０４に載置されるように、及び／又は支点５０４によって支持されるように、第１の開口５００を通って延びる。
【００２６】
図６のハウジング１０６の第２の開口５０２は、円形である。他の実施形態では、第２の開口５０２は、他の形状である。第２の開口５０２は、マニホールド６００のスプレーインサート１１２及び／又は第２の末端部分６０４を受ける（図１０を参照）。しかしながら、図１２を参照して以下に詳述するように、ハウジング１０６は、スプレーインサート１１２又はマニホールド６００を直接的には支持しない。ハウジング１０６は、ハウジング１０６の頂部又は第１の端部５１８によって規定される第３の開口５１６を含む。フランジ又はリム５２０は、第１の端部５１８に隣接してハウジング１０６の内部５２２に配設される。リム５２０は、キャップ１１０を支持する（図１及び図３を参照）。ハウジング１０６は、第１の端部５１８に対向する、ハウジング１０６の底部又は第２の端部５２６によって規定される第４の開口５２４をまた含む。
【００２７】
図７は、図６のハウジング１０６の頂部等角図である。図示の実施形態では、ハウジング１０６は、第１の側壁３０６に配設される、第３のリブ５２８及び第４のリブ５３０を含む。第３のリブ５２８及び第４のリブ５３０は、第２のフランジ５３２からハウジング１０６の第１の端部５１８に向かって延びて、ハウジング１０６に剛性を提供する。いくつかの実施形態では、第１のリブ５２８及び第２のリブ５３０は、キャップ１１０を支持する。第２のフランジ５３２は、ハウジング１０６の第１の端部５１８及び第２の端部５２６から離間している。図示の実施形態では、複数のブレース５３４は、第２のフランジ５３２に剛性を提供する。図８を参照して以下に詳述するように、第２のフランジ５３２は、容器１０４のマウンティングカップ２００に載置しても、及び／又はそれに接触してもよい。図示の実施形態では、頂部表面５３８を有する片持ち型の舌状部５３６は、第２の側壁５１４から第１の側壁３０６に向かって延びる。いくつかの実施形態では、舌状部５３６により、ハウジング１０６の成型が容易になる。
【００２８】
図８を参照すると、ハウジング１０６は、第４の開口５２４を介して容器１０４の一部分を受ける（図６及び図７を参照）。図示の実施形態では、マウンティングカップ２００は、ハウジング１０６のスカート５４２に隣接してハウジング１０６の内部５２２の周囲に配設される複数の突起５４０と第２のフランジ５３２との間にスナップ嵌合する。したがって、第２のフランジ５３２及び突起５４０は、容器１０４のマウンティングカップ２００に接触して、オーバーキャップ１０２を容器１０４に固定する。他の実施形態では、ハウジング１０６は、たとえば、１つ又は複数の機械的及び／又は化学的ファスナを介するような他の方法で、容器１０４に結合する。図示の実施形態では、突起５４０の各々は、台形の断面形状を有する。他の実施形態では、突起５４０のうちの１つ又は複数は、異なる形状を有する。
【００２９】
図９は、オーバーキャップ１０２及び容器１０４の断面図である。図示の実施形態では、スカート５４２の厚さは、マウンティングカップ２００に隣接する区域５４４から第２の端部５２６に向かって減少する。たとえば、図示の実施形態では、区域５４４の厚さは約１．２ミリメートルであり、第２の端部５２６の厚さは約０．６ミリメートルである。ただし、上記の寸法は例にすぎず、したがって、本開示の範囲から逸脱することなく、他の寸法を採用してもよい。たとえば、いくつかの実施形態では、区域５４４の厚さは約１．１〜約１．６ミリメートルであり、第２の端部５２６の厚さは約０．３〜約１．０ミリメートルである。いくつかの実施形態では、第２の端部５２６の厚さは、約０．３〜約０．６ミリメートルである。いくつかの実施形態では、区域５４４の厚さと第２の端部５２６の厚さの比は、１：１よりも大きい、又は１．５：１よりも大きい、又は２：１よりも大きい、又は３：１よりも大きい、又は４：１超、又は５：１よりも大きい。いくつかの実施形態では、区域５４４及び／又は第２の端部５２６の厚さは、その外周の周りで変動してもよく、このようなシナリオでは、上述の厚さは、区域５４４及び第２の端部５２６の最も狭い又は最も薄い部分を示している。
【００３０】
図９の実施形態では、スカート５４２の断面形状は、スカート５４２の外面５４６とスカート５４２の内面５４８とハウジング１０６の第２の端部５２６とによって規定される。スカート５４２の外面５４６は、区域５４４から外向きに、したがって、放出システム１００の長手方向軸５５０から離れるように湾曲する、又は曲がる。内面５４８は、長手方向軸５５０から離れるように区域５４４から延び、外面５４６に向かって角度が付いている、傾斜する、及び／又は曲がっている。その結果、内面５４８及び外面５４６は収束し、したがって、スカート５４２の厚さは、マウンティングカップ２００に隣接する区域５４４から、ハウジング１０６の第２の端部５２６に向かって減少する。図示の実施形態では、内面５４８は、容器１０４のネック２１４の一部分の外形に実質的に従う、又は一致する。いくつかの実施形態では、スカート５４２は、オーバーキャップ１０２が容器１０４に結合すると弾性変形して、スカート５４２の形状及びサイズが、容器１０４のネック２１４の形状及びサイズに実質的に合致することが可能になる。たとえば、非結合状態又は第１の状態のスカート５４２は、オーバーキャップ１０２が容器１０４に結合していないときには第１の形状（たとえば、円形、卵形など）を有することができ、第１のサイズ（例えば、第１の直径）を有する第４の開口５２４を規定することができる。オーバーキャップ１０２が容器１０４に結合されたとき、スカート５４２は、スカート５４２が第１の形状とは異なる第２の形状を有する、及び／又は第１のサイズよりも大きい第２のサイズを有する第４の開口５２４を規定する、結合状態又は第２の状態へと弾性変形することができ、容器１０４のネック２１４の形状及びサイズに実質的に合致する。たとえば、スカート５４２は、外向きに屈曲しても、並びに／或いは容器１０４のネック２１４の形状及びサイズに実質的に合致するように拡張してもよい。いくつかの実施形態では、スカート５４２の弾性変形により、スカート５４２が容器１０４とスカート５４２との間に干渉嵌合又はプレス嵌合を形成することが可能になる。いくつかの実施形態では、スカート５４２の弾性変形により、スカート５４２が、スカート５４２と容器１０４との間に周囲流体封止を形成することが可能になる。さらに、スカート５４２の第２の端部５２６の最小厚さは、容器１０４とオーバーキャップ１０２との間での実質的に滑らかな遷移を提供し、それにより、ユーザは、オーバーキャップを採用する従来の放出システムよりも楽に放出システム１００を把持する。いくつかの実施形態では、スカート５４２の弾性変形により、オーバーキャップ１０２が、図９の容器１０４とは異なる形状又はサイズを有する容器上での干渉嵌合及び／又は流体封止を形成することが可能になり、それぞれ対応する容器とスカート５４２との間に実質的に滑らかな遷移が提供される。
【００３１】
図１０は、キャップ１１０及びマニホールド６００の前方等角図である。図示の実施形態では、マニホールド６００は、第１の末端部分６０２及び第２の末端部分６０４を含む。図１０の第２の末端部分６０４は、スプレーインサート１１２を受けるオリフィス６０６を有する。第１の末端部分６０２は、容器１０４のバルブステム２０８（図２を参照）に流体結合する。図示の実施形態では、第１の末端部分６０２は、フレア状部分６０８を含む。マニホールド６００は、第１の流路６１０及び第２の流路６１２を含む。図１０の第１の流路６１０は、第２の流路６１２に対して概ね直交している。たとえば、第１の流路６１０及び第２の流路６１２は、第１の流路６１０が第２の流路６１２に対して約１０５度の角度６１４で延びるように配向され得る。いくつかの実施形態では、角度６１４は、約９０〜約１３０度である。他の実施形態では、角度６１４は、他の角度である。第１の流路６１０は、第１の継手６１６を介して第２の流路６１２に結合される。図示の実施形態では、第１の継手６１６は、ブレース６１８を含む。    図１０のブレース６１８は、第１の流路６１０と第２の流路６１２との接合部６２２と実質的に一致する頂点６２０を有するアーチ状プレートである。他の実施形態では、ブレース６１８は、他の形状及び／又は構成を有する。たとえば、ブレース６１８は、湾曲した梁、三角形のプレート、矩形の梁、並びに／或いは他の形状及び／又は構成でもよい。いくつかの実施形態では、継手６１４は、ブレース６１８を含まない。
【００３２】
図示の実施形態では、マニホールド６００の第１の流路６１０から、第１の突起６２４及び第２の突起６２６が延びている。図示の実施形態では、第１の突起６２４及び第２の突起６２６は、第１の末端部分６０２に隣接して第１の流路６１０の両側６２８、６３０に配設される。図１１を参照して以下に詳述するように、トリガー１０８の第１の接触面４３０は第１の突起６２４に係合し、トリガー１０８の第２の接触面４３２は第２の突起６２６に係合して、バルブステム２０８を押下して、作動させるために、容器１０４に向かってマニホールド６００の第１の末端部分６０２を駆動する。
【００３３】
図示の実施形態では、マニホールド６００は、キャップ１１０から懸架している。たとえば、マニホールド６００の第２の末端部分６０４は、第２の継手６３２を介してキャップ１１０に結合される。図示の実施形態では、第２の継手６３２は、連結部６３４及びプレート６３６を含む。図示の実施形態では、キャップ１１０、連結部６３４、プレート６３６及びマニホールド６００は、一体に形成される、及び／又は一体である。他の実施形態では、キャップ１１０、連結部６３４、プレート６３６及び／又はマニホールド６００は、他の方法で結合される。図示の実施形態では、連結部６３４は、第２の末端部分６０４とキャップ１１０の内面６３８との間に配設される細長いバーであり、第２の流路６１２と実質的に同じ方向に延びている。図１０のプレート６３６は、第２の流路６１２に直交しており、第２の流路６１２は、プレート６３６を通って延びている。
【００３４】
図１０の例示的なキャップ１１０は、内面６３８から懸架している第１の支持部６４０及び第２の支持部６４２を含む。いくつかの実施形態では、第１の支持部６４０及び第２の支持部６４２は、ハウジング１０６の第１のリブ５１０及び第２のリブ５１２（図６を参照）に隣接して、及び／又はそれと接触して配設される。第１の支持部６４０は第３のノッチ６４４を含み第２の支持部６４２は、第４のノッチ６４６を含む。いくつかの実施形態では、第３のノッチ６４４及び第４のノッチ６４６は、それぞれ対応する第１のリブ５１０の第１のノッチ５０６及び第２のリブ５１２の第２のノッチ５０８（図６を参照）と協働する。たとえば、トリガー１０８のピボット４０８（図４及び図５を参照）は、図１２に示すように、ノッチ５０６、５０８、６４４、６４６に配設され、かつ、リブ５１０、５１２と支持部６４０、６４２との間に捕捉され得る。キャップ１１０は、外部又は頂部面６４７を含む。
【００３５】
図１１は、非作動又は第１の位置にあるトリガー１０８の側面図であり、トリガー１０８の第１の接触面４３０がマニホールド６００の第１の突起６２４から離間している。図示の実施形態では、バルブステム２０８は、マニホールド６００の第１の末端部分６０２で受けられ、バルブステム２０８を、すなわち容器１０４を、マニホールド６００に流体結合する。図示の実施形態では、第１の接触面４３０は凸状である。第１の突起６２４は、第１の接触面４３０の方を向いている係合面６４８を含む。図示の実施形態では、係合面６４８は、第１の接触面４３０が係合面６４８に係合したときに、マニホールド６００の第１の末端部分６０２が、容器１０４に向かって（すなわち、図１１の配向では下向きに）移動するように配向された角度付き又はランプ表面である。マニホールド６００の第２の突起６２６は、第１の突起６２４の鏡像である。したがって、第１の突起６２４の上記の説明は、第２の突起６２６に適用可能である。冗長にならないように、第２の突起６２６について別個には説明しない。
【００３６】
図１２は、図１〜図１１の例示的な放出システム１００の断面図であり、容器１０４に動作可能に結合されたトリガー１０８を示している。図１２の実施形態では、トリガー１０８は、非作動又は第１の位置にある。トリガー１０８の把持部分３００は、オーバーキャップ１０２のハウジング１０６の外側に配設される。第１のアーム４００及び第２のアーム４０２は、第１の側壁３０６の第１の開口５００を通って延び、ピボット４０８は、支点５０４を介して第２の側壁５１４に枢動可能に結合されている。図示の実施形態では、ピボット４０８は、第１のリブ５１０と第１の支持部６４０との間に配設及び／又は捕捉され、ピボット４０８は、第２のリブ５１２と第２の支持部６４２との間に配設及び／又は捕捉される。
【００３７】
キャップ１１０は、ハウジング１０６に結合され、マニホールド６００は、キャップ１１０からハウジング１０６内に懸架している。図示の実施形態では、マニホールド６００は、マニホールド６００の第２の末端部分６０４を、したがって、スプレーインサート１１２の吐出口３０８をハウジング１０６の第１の側壁３０６の第２の開口５０２と整列させるようにハウジングに対して配向される。ただし、図示の実施形態では、ハウジング１０６は、マニホールド６００の第２の末端部分６０４を直接的には支持しない。たとえば、第２の末端部分６０４は、第２の開口５０２内に配設され、かつ、第１の側壁３０６から離間し得る。他の実施形態では、ハウジング１０６は、マニホールド６００の第２の末端部分６０４を支持し、及び／又は、トリガー１０８の作動中、マニホールド６００の第２の末端部分６０４の移動を制限する。
【００３８】
マニホールド６００の第１の末端部分６０２は、バルブステム２０８上に配設され、バルブステム２０８は、第１の流路６１０の第１の流体路６５０中で受けられる。いくつかの実施形態では、トリガー１０８が、図１２に示すように第１の位置にあるとき、マニホールド６００の第１の末端部分６０２は、バルブステム２０８に封止係合しない。たとえば、第１の末端部分６０２は、バルブステム２０８から離間し得る、又は、バルブステム２０８を封止係合するのに充分な圧力なしにバルブステム２０８と接触し得る。他の実施形態では、バルブステム２０８は、第１の位置においてマニホールド６００と封止係合している。第１の流体路６５０は、マニホールド６００の第２の流路６１２の第２の流体路６５２と流体連通し、第２の流体路６５２は、スプレーインサート１１２の吐出口３０８と流体連通する。
【００３９】
図示の実施形態では、容器１０４の中央長手方向軸２１６と、バルブステム２０８の中央長手方向軸７００と、放出システム１００の中央長手方向軸５５０とは、実質的に同一千上にある。放出システム１００の長手方向軸５５０に対して直角な第１の平面７０２は、スプレーインサート１１２の吐出口３０８を通過する。長手方向軸５５０に対して直角な第２の平面７０４は、トリガー１０８の回転軸４１４を通過する。放出システム１００の長手方向軸５５０に対して直角な第３の平面７０６は、マニホールド６００の第１の末端部分６０２を通過する。図示の実施形態では、第３の平面７０６は、マニホールド６００の第１の末端部分６０２、及びバルブステム２０８の最上点又は先端７０８を通過する。本開示で使用する場合、バルブステムの最上点又は先端とは、容器の外側に延び、バルブステムの長手方向軸に沿った方向に容器から最も遠くに配設される、バルブステムの点である。放出システム１００の長手方向軸５５０に対して直角な第４の平面７１０は、マウンティングカップ２００の最下点７１２を通過する。本開示で使用する場合、マウンティングカップの最下点とは、容器内で容器の端部から最も遠くに配設されるマウンティングカップの点であり、そこで、マウンティングカップが容器の長手方向軸に沿った方向に支持される。放出システム１００の長手方向軸５５０に対して直角な第５の平面７１４は、トリガー１０８の把持部分３００の最下点７１６を通過する。本開示で使用する場合、トリガーの把持部分の最下点とは、容器の長手方向軸に沿った方向における、容器の底端部又は基部（例えば、第２の端部２１０）に最も近いトリガーの把持部分の点である。放出システム１００の長手方向軸５５０に対して直角な第６の平面７１７は、容器１０４の最上点７１８を通過する。容器の最上点は、容器の長手方向軸に沿った方向における、容器の底端部又は基部から最も遠い容器の点である。図示の実施形態では、容器１０４の最上点７１８は、マウンティングカップ２００上に配設されている。
【００４０】
図示の実施形態では、第２の平面７０４は、第１の平面７０２と第３の平面７０６との間に配設されている。したがって、放出システム１００が、図１２に示すように直立位置にあるとき、吐出口１１２は、トリガー１０８の回転軸４１４の上方に配設され、トリガー１０８の回転軸４１４は、バルブステム２０８の先端７０８の上方に配設される。さらに、トリガー１０８の回転軸４１４は、放出システム１００の長手方向軸５５０の反対側に吐出口３０８として配設される。さらに、トリガー１０８の把持部分３００は、放出システム１００の長手方向軸５５０の同じ側面に吐出口３０８として配設される。
【００４１】
図示の実施形態では、第５の平面７１４は、第４の平面７１０の下方に懸架している。したがって、トリガー１０８の把持部分３００の最下点７１６は、マウンティングカップ２００の最下点７１２の下方に配設される。図１８を参照して以下に詳述するように、オーバーキャップ１０２の占有面積全体は、トリガー１０８の把持部分３００がマウンティングカップ２００の下方に延びている場合であっても、容器１０４の占有面積内に配設される。
【００４２】
図１３は、第２の又は作動位置にあるトリガー１０８を示している、図１２のオーバーキャップ１０２の断面図である。図示の実施形態では、ユーザがトリガー１０８を握りしめたときに、トリガー１０８は、回転軸４１４を中心にして第１の位置から第２の位置まで枢動し、トリガー１０８の把持部分３００の下端部４３８が容器１０４に向かって移動して、バルブステム２０８を作動させる。いくつかの実施形態では、トリガー１０８は、約２度〜約１０度回転して、第１の位置から第２の位置まで回転する。したがって、トリガーは、約２度回転〜約１０度回転の総移動範囲を有し得る。いくつかの実施形態では、トリガー１０８は、約５度〜約７度回転して、第１の位置から第２の位置まで回転する。したがって、かかる実施形態では、トリガーは、約５度回転〜約７度回転の総移動範囲を有し得る。たとえば、図示の実施形態では、トリガー１０８は、約６度を回転して、第１の位置から第２の位置まで回転する。いくつかの実施形態では、トリガー１０８が第２の位置にあるとき、トリガー１０８の把持部分３００は、スカート５２４及び／又は容器１０４に接触する。
【００４３】
トリガー１０８が第１の位置から第２の位置に移動すると（たとえば、図１３を参照）、トリガー１０８の第１の接触面４３０及び第２の接触面４３２は、マニホールド６００のそれぞれ対応する第１の突起６２４及び第２の突起６２６に係合し、マニホールドの第１の末端部分６０２容器１０４に向かって駆動する。いくつかの実施形態では、第１の末端部分６０２は、第１の末端部分６０２が容器１０４に向って移動すると、バルブステム２０８に封止係合する。トリガー１０８が第２の位置に向かってさらに移動すると、マニホールド６００の第１の末端部分６０２は、バルブステム２０８を押下し、第１のばね４２４及び第２のばね４２６は、トリガー１０８とハウジング１０６との間で圧縮する。その結果、流体製品は、容器１０４から、バルブステム２０８を介して第１の流体路６５０へと放出される。次いで、流体製品は、第２の流体路６５２を通ってスプレーインサート１１２へと流れ、吐出口３０８から流出する。ユーザがトリガー１０８を解放したときに、第１のばね４２４及び第２のばね４２６は、トリガー１０８を、図１２に示した第１の位置に戻す。
【００４４】
図示の実施形態では、マニホールド６００は、トリガー１０８がマニホールド６００の第１の末端部分６０２を容器１０４に向かって駆動させるときにマニホールド６００の形状及び／又はサイズを変更することが可能になるように、可撓性であるか、又は柔軟性がある。たとえば、マニホールド６００は、第２の末端部分６０４をハウジング１０６の第２の開口５０２と整列させて維持しながら、マニホールド６００の第１の末端部分６０２がバルブステム２０８を封止係合し、バルブステム２０８を押下することが可能になるように、第１の継手６１６及び第２の継手６３２において、第１の流路６１０に沿った１つ又は複数の区域において、及び／又は第２の流路６１２に沿った１つ又は複数の区域において、屈曲又は撓曲するように弾性変形し得る。マニホールド６００の例示的な弾性変形について、図１７を参照してさらに以下で説明する。
【００４５】
図１４は、第１の位置にあるトリガー１０８を示す、図１２のオーバーキャップ１０２の断面図である。図示の実施形態では、トリガー１０８が第１の位置（図１２を参照）から第２の位置（図１３を参照）まで枢動するとき、トリガー１０８の把持部分３００の下端部４３８及び／又は最下点７１６は、第１の弓形経路７１９で移動し、マニホールド６００の第１の末端部分６０２は、第２の弓形経路７２０で移動する。いくつかの実施形態では、第１の弓形経路７１９及び／又は第２の弓形経路７２０は円弧である。他の実施形態では、第１の弓形経路７１９及び／又は第２の弓形経路７２０は円弧ではない。たとえば、第１の弓形経路７１９及び／又は第２の弓形経路７２０は、放物形状、並びに／或いは１つ又は複数の追加の形状、並びに／或いは代替形状であり得る。いくつかの実施形態では、第１の弓形経路７１９の弧長は、約４ミリメートル〜約１４ミリメートルである。いくつかの実施形態では、第１の弓形経路７１９の弧長は、約７ミリメートル〜約９ミリメートルである。図示の実施形態では、第１の弓形経路７１９の弧長は、約８ミリメートルである。他の実施形態では、第１の弓形経路７１９は、他の距離の円弧を有する。
【００４６】
図示の実施形態では、第１の弓形経路７１９及び第２の弓形経路７２０の各々は、Ｘ軸に沿った水平ベクトル成分及びＹ軸に沿った垂直ベクトル成分を有する。図１４の実施形態では、Ｙ軸は、放出システム１００の長手方向軸５５０に対して平行であり、Ｘ軸は、トリガー１０８のＹ軸及び回転軸４１４に対して直角である。本開示で使用する場合、上向きの垂直ベクトル成分は、正の垂直ベクトル成分と呼ばれ、下向きの垂直ベクトル成分は、負の垂直ベクトル成分と呼ばれ、右向きの水平ベクトル成分は、正の水平ベクトル成分と呼ばれ、左向きの水平方向ベクトル成分は、負の水平ベクトル成分と呼ばれる。
【００４７】
図示の実施形態では、第１の弓形経路７１９は、第２の弓形経路７２０に対向している。たとえば、図示の実施形態では、第１の弓形経路７１９と第２の弓形経路７２０の両方が、負の垂直ベクトル成分を有するが、第１の弓形経路７１９は、正の水平ベクトル成分を有し、第２の弓形経路７２０は、負の水平ベクトル成分を有する。したがって、第１の弓形経路７１９と第２の弓形経路７２０とは、対向する又は反対向きの水平ベクトル成分を有する。その結果、図１４の実施形態では、トリガー１０８の下端部４３８は、第１の弓形経路７１９に沿って第１の方向に移動し、マニホールド６００の第１の末端部分６０２は、第２の弓形経路７２０に沿って第１の方向に対向する第２の方向に移動する。図示の実施形態では、第１の方向は、図１４の配向では実質的に反時計回りであり、第２の方向は、図１４の配向では実質的に時計回りである。その結果、トリガー１０８が第１の位置から第２の位置まで回転するとき、トリガー１０８の把持部分３００の第１の端部３１０は、外向きに、つまり、ハウジング１０６の第１の側壁３０６から離れるように移動し、把持部分３００の下端部４３８は、容器１０４に向かって移動する。
【００４８】
いくつかの実施形態では、第２の弓形経路７２０の弧長は、約２ミリメートル〜約６ミリメートルである。いくつかの実施形態では、第２の弓形経路７２０の弧長は、約３ミリメートル〜約４ミリメートルである。したがって、第２の弓形経路７２０の弧長は、第１の弓形経路７１９の弧長よりも小さくなり得る。いくつかの実施形態では、第２の弓形経路７２０の負の垂直ベクトル成分の大きさ（マグニチュード）は、約２ミリメートル〜約４ミリメートルである。図示の実施形態では、第２の弓形経路７２０の弧長は、約３ミリメートルである。したがって、第１の末端部分６０２の総移動距離又は移動範囲は、容器１０４に向かう方向に約３ミリメートルであり得る。他の実施形態では、第２の弓形経路７２０の負の垂直ベクトル成分は、他の距離である。いくつかの実施形態では、第２の弓形経路７２０の垂直ベクトル成分の大きさは、第２の弓形経路の水平ベクトル成分の大きさの約１．５倍〜約６倍である。
【００４９】
本明細書で教示するような形式の放出システムは、従来の噴霧器に勝る有意な利点を提供する。本実施形態は、バルブステム２０８とマニホールド６００との間のより良好な位置合わせ及び移動を提供する。マニホールド６００は、単一構成部品としてキャップ１１０に固定されるので、マニホールド６００が周りを移動する枢動点が生成される。同様に、トリガー１０８は、その周りを移動する枢動点を有し、トリガー１０８及びマニホールド６００の弓形経路は、上述のように互いに対して向かい合っている。マニホールド６００及びトリガー１０８の構造的特徴を作動ステップ中に接続すると、向かい合っている弓形経路７１９、７２０は、マニホールド６００上に対する力をほぼ垂直に保つ。また上記のように、垂直移動距離は比較的短く、それにより、対向する弓形経路に沿った構造的特徴の移動距離が、比較的平坦であることが保証される。したがって、移動範囲にわたって構造的特徴に作用する力は、実質的に変化せず、それにより、トリガー１０８及びマニホールド６００の構造的特徴の並進を制限しながら、ユーザの手の回転運動をバルブステム２０８の上下運動に変換することができる、より剛性の放出システムが可能になる。また、トリガー１０８は、トリガーをもつ従来の噴霧器よりも、遊びや空動作が小さくなる。
【００５０】
図１５は、放出システム１００の断面図であり、トリガー１０８が第１の位置から第２の位置まで移動するときに、トリガー１０８の把持部分３００の最上点７２２が第３の弓形経路７２４に沿って移動することを示している。本開示で使用する場合、トリガーの把持部分の最上点は、トリガーが採用される放出システムの長手方向軸（たとえば、長手方向軸５５０）に沿った方向に把持部分の最下点（たとえば、最下点７１６）から最も遠くに離れている把持部分の点である。図示の実施形態では、把持部分３００の最上点７２２の第３の弓形経路７２４の大きさは約５ミリメートルである。したがって、把持部分３００の最上点７２２の第３の弓形経路７２４の大きさは、トリガー１０８の把持部分３００の最下点７１６の第１の弓形経路７１９の大きさよりも小さい。
【００５１】
図示の実施形態では、第３の弓形経路７２２は、負の垂直ベクトル成分及び負の水平ベクトル成分を有する。いくつかの実施形態では、負の垂直ベクトル成分の大きさは、約４．７ミリメートルである。いくつかの実施形態では、第３の弓形経路７２４の負の水平ベクトル成分の大きさは、０．７ミリメートルである。したがって、把持部分３００の最上点７２２は、外向きに、かつ、放出システム１００の長手方向軸５５０から離れるように移動する。他の実施形態では、第３の弓形経路７２４の垂直ベクトル成分及び／又は水平ベクトル成分の大きさは、他の距離である。図１６を参照して以下でより詳細に説明するように、把持部分３００の最上点７２２の外向きの移動により、把持部分３００が、吐出口３０８から滴下している流体製品がある場合には、オーバーキャップ１０２を把持しているユーザの手を流体製品から遮蔽することが可能になる。
【００５２】
さらに図１５を参照すると、トリガー１０８の把持部分３００は、第１の弓形経路７１９及び第３の弓形経路７２４が同一の円７２６上にあるように、サイズ設定、整形及び／又は、寸法決定される。したがって、把持部分３００の最上点７２２及び把持部分３００の最下点７１６は、トリガー１０８が第１の位置から第２の位置まで移動するとき、実質的に同じ軌跡に辿る。他の実施形態では、把持部分３００の最上点７２２及び最下点７１６は、同じ軌跡を辿らない。
【００５３】
引き続き図１５を参照すると、トリガー１０８が第１の位置にあるとき、Ｙ軸に沿ったトリガー１０８の回転軸４１４から容器１０４の最上点７１８までの第１の距離Ｄ１は、約１９ミリメートル〜約２１ミリメートルである。いくつかの実施形態では、第１の距離Ｄ１は、約１０ミリメートル〜約３５ミリメートルである。Ｙ軸に沿ったトリガー１０８の回転軸４１４からトリガーの把持部分３００の最下点７１６までの第２の距離Ｄ２は、約３９ミリメートル〜約４１ミリメートルである。いくつかの実施形態では、第２の距離Ｄ２は、約３０ミリメートル〜約５０ミリメートルである。ただし、上記の寸法は例にすぎず、したがって、本開示の範囲から逸脱することなく、他の寸法を使用してもよい。
【００５４】
図１６は、オーバーキャップ１０２の断面図であり、作動又は第２の位置にあるトリガー１０８を示している。図示の実施形態では、ハウジング１０６の第１の側壁３０６は、レール８００を含む。図示の実施形態では、レール８００は、第２の開口５０２から第１の側壁３０６の第１の開口５００まで延びる、内向きに階段状の及び／又は傾斜した表面８０２である。図示の実施形態では、流体製品を吐出口３０８から放出する間及び／又はその後、残留量の流体製品は、吐出口３０８で又はその近くで収集され得、図１６の配向では下向きに滴下し得る、及び／又は流れ得る。いくつかの実施形態では、流体製品の表面張力は、流体製品が下向きに流れるにつれて、流体製品がレール８００に凝集するように、及び／又はレール８００と接触したままになるようにする。その結果、レール８００は、流体製品を第１の開口５００を介してハウジング１０６へと方向付ける。したがって、図１６の例示的なレール８００は、流体製品の残留滴下が、放出システム１００を把持しているユーザの手に接触することを防止又は制限し得る。
【００５５】
いくつかの実施形態では、残留流体の一部は、レール８００に凝集せず、吐出口３０８から落下又は滴下する。図示の実施形態ではトリガー１０８の把持部分３００の最上点７２２が、外向きに（たとえば、図１６の配向では左に）移動するので、第１の位置から第２の位置までトリガー１０８が移動するときに、把持部分３００の上面８０４及び／又は内面８０６は、流体製品を捕らえ（すなわち、流体製品の落下及び滴下が上面８０４及び／又は内面８０６に達し）、流体製品をハウジング１０６へと方向付ける。図１６の実施形態では、把持部分３００が第２の位置にあるとき、把持部分３００の最上点７２２は、吐出口３０８よりも、放出システム１００の長手方向軸５５０から外向きに遠くに配設される。図示の実施形態では、上面８０４及び内面８０６は、流体製品をハウジング１０６へと方向付けるように、ハウジング１０６の内部５２２に向かって傾いている、傾斜している、及び／又は角度が付けられている。
【００５６】
図１７は、マニホールド６００が第１の又は非作動状態９００並びに第２の又は作動された第２の状態９０２であるときの図６のマニホールド６００の概略断面図である。図示の実施形態では、マニホールド６００は、トリガー１０８が第１の位置にあるとき、第１の状態９００である。図示の実施形態では、マニホールド６００が第１の状態にあるとき、第１の流路６１０及び第２の流路６１２は、実質的に真っ直ぐである。他の実施形態では、トリガー１０８が第１の位置にあるとき、第１の流路６１０及び／又は第２の流路６１２は、他の構成である（たとえば、湾曲している）。
【００５７】
トリガー１０８が第２の位置にあるとき、マニホールド６００は第２の状態である。図示の実施形態では、トリガー１０８が、第１の流路６１０から延びた突起６２４、６２６（図１０を参照）を介してマニホールド６００に係合するとき、トリガー１０８は、マニホールド６００に、マニホールド６００を弾性変形する力を印加する。たとえば、図示の実施形態では、マニホールド６００は、第２の継手６３２において、第２の流路６１２の第１の撓曲区域９０４、第２の流路６１２の第２の撓曲区域９０６、第１の継手６１６、及び、第１の流路６１０の第３の撓曲区域９０８において、キャップ１１０に対して撓曲又は屈曲する。その結果、マニホールド６００の第１の末端部分６０２は、第２の弓形経路７２０に沿って移動する。図示の実施形態では、マニホールド６００が第１の状態９００から第２の状態９０２に弾性変形するとき、マニホールド６００の第１の末端部分６０２は、容器１０４に向かって（すなわち、図１７の配向では下向きに）、かつ、トリガー１０８の把持部分３００に向かって（すなわち、図１７の配向では左に）移動する。
【００５８】
図示の実施形態では、トリガー１０８が第１の位置から第２の位置まで移動するとき、ハウジング１０６は、キャップ１１０の弾性変形を実質的に防止する。たとえば、キャップ１１０に剛性を提供し、かつ、実質的に、トリガー１０８が第１の位置から第２の位置まで移動するときのキャップ１１０の弾性変形（たとえば、屈曲）を防止するために、第１のフランジ５２０（図６及び７を参照）、第３のリブ５２８（図７を参照）並びに第４のリブ５３０（図７を参照）は、マニホールド６００の第２の末端部分６０４に隣接してキャップ１１０を支持する。
【００５９】
図示の実施形態では、第２の継手６３２は、第２の末端部分６０４と第２の流路６１２との間のエルボ又は接合部９１０が真っ直ぐになる（すなわち、エルボ９１０の曲率半径が増大する）ように弾性変形する。第１の撓曲区域９０４は、マニホールド６００の第２の継手６３２から第１の継手６１６に向かって延びている。第１の撓曲区域９０４の上の第２の流路６１２は、第１の曲率中心Ｃ１に関して湾曲しており、第１の曲率半径Ｒ１を有する。いくつかの実施形態では、第１の撓曲区域９０４は、第２の流路６１２の長さの約半分に沿って延びる。
【００６０】
第２の撓曲区域９０６は、マニホールド６００の第１の撓曲区域９０４から第１の継手６１６まで延びている。第２の撓曲区域９０６の上の第２の流路６１２は、第２の曲率中心Ｃ２に関して湾曲しており、第２の曲率半径Ｒ２を有する。図示の実施形態では、第１の曲率中心Ｃ１及び第２の曲率中心Ｃ２は、第２の流路６１２の両側にある。その結果、第２の撓曲区域９０６が凸状であり、第１の撓曲区域９０４は凹状である。したがって、第２の状態９０２の第２の流路６１２は、反曲点９１２を有する。いくつかの実施形態では、第１の曲率半径Ｒ１と第２の曲率半径Ｒ２とは等しい。他の実施形態では、第１の曲率半径Ｒ１と第２の曲率半径Ｒ２とは異なる。いくつかの実施形態では、第２の撓曲区域９０６は、第２の流路６１２の長さの約半分に沿って延びる。他の実施形態では、第１の撓曲区域９０４及び／又は第２の撓曲区域９０６は、第２の流路６１２の長さの他の量にわたって延びる。
【００６１】
第１の継手６１６は、第１の継手６１６が真っ直ぐになる、したがって、第１の流路６１０と第２の流路６１２との間の角度６１４が増大するように弾性変形する。いくつかの実施形態では、ブレース６１８は、第１の継手６１６の変形を実質的に防止し、したがって、いくつかの実施形態では、第２の状態９０２の角度６１４は、第１の状態９０２の角度６１４と実質的に同じである。
【００６２】
第３の撓曲区域９０８は、マニホールド６００の第１の継手６１６から第１の末端部分６０２まで延びている。図示の実施形態では、第３の撓曲区域９０８の上の第１の流路６１０は、第３の曲率中心Ｃ３に関して湾曲しており、第３の曲率半径Ｒ３を有する。図示の実施形態では、第３の曲率中心Ｃ３は、マニホールド６００の第２の曲率中心Ｃ２と同じ側にある。図１７の第３の曲率半径Ｒ３は、第１の曲率半径Ｒ１及び／又は第２の曲率半径Ｒ２よりも大きい。他の実施形態では、第３の曲率半径Ｒ３は、第１の曲率半径Ｒ１及び／又は第２の曲率半径Ｒ２よりも小さい。他の実施形態では、マニホールド６００は、他の方法で弾性変形する。たとえば、マニホールド６００は、１つ又は複数の追加の、より少数の、並びに／或いは、代替的な撓曲区域、反曲点などを有し得る。
【００６３】
図１８は、放出システム１００の頂部概略図であり、容器１０４の例示的な第１の占有面積１０００及びオーバーキャップ１０２の例示的な第２の占有面積１００２を示している。第１の占有面積１０００は、容器１０４の最外点の概略図であり、円筒部分２１２の第１の最外点１００４を含んでいる。第２の占有面積１００２は、オーバーキャップ１０２の最外点の概略図であり、トリガー１０８の第２の最外点１００６を含んでいる。図１８に示すように、オーバーキャップ１０２の第２の占有面積１００２は完全に、容器１０４の第１の占有面積１０００の中にある。したがって、容器１０４の第１の占有面積１０００は、オーバーキャップ１０２の第２の占有面積１００２に外接する。図示の実施形態では、容器１０４の円筒部分２１２は、円形の断面形状を有する。したがって、図１８の実施形態では、第１の占有面積１０００は円形である。他の実施形態では、容器１０４及び／又は第１の占有面積１０００は、他の形状でもよい。
【００６４】
図示の実施形態では、容器１０４の長手方向軸２１６は、容器１０２の円筒部分２１２の曲率中心１００８を通る。図１８の実施形態では、曲率中心１００８は、容器１０４の重心と一致している。したがって、容器１０４の長手方向軸２１６は、容器の中央長手方向軸である。本開示で使用する場合、中央長手方向軸は、構造の断面形状の中心及び／又は重心を通る長手方向軸である。
【００６５】
図示の実施形態では、容器１０４の第１の最外点１００４は、長手方向軸２１６から、長手方向軸２１６に対して直角な第１の線又は半径１０１０に沿って測定された第１の距離Ｄ１にある。トリガー１０８の第２の最外点１００６は、長手方向軸２１６から、長手方向軸に対して直角な第２の線又は半径１０１２に沿って測定された第２の距離Ｄ２にある。図示の実施形態では、第２の線１０１２は、第１の線１０１０と共面である。図示の実施形態では、第１の距離Ｄ１は、第２の距離Ｄ２よりも長く、したがって、第２の距離Ｄ２は、第１の距離Ｄ１よりも短い。したがって、オーバーキャップ１０２のいずれの部分も、把持部分３００を含めて、長手方向軸２１６に対して直角な方向で円筒部分２１４の第１の半径１０１０に等しい距離よりも、長手方向軸２１６から遠くには配設されていない。その結果、たとえば、梱包、出荷、搬送及び／又は保管の間、放出システム１００が、（容器１０４の底端部２１０（図２を参照）によってではなく）容器１０４の側面によって表面上で支持される場合、トリガー１０８のいずれの部分も、その表面に接触せず、トリガー１０８が偶発的に作動する可能性が低くなる。さらに、このような配列はまた、容器の押し合いが生じる得る梱包、出荷、搬送及び／又は保管の状況において、他の垂直方向に配向された容器に隣接して容器１０４を提供したときに、よりセキュアな垂直配向を提供するという付加的な恩恵を有する。
【００６６】
いくつかの実施形態では、トリガー１０８の第２の最外点１００６は、トリガー１０８の把持部分３００の下端部４３８に配設される。他の実施形態では、第２の最外点１００６は、オーバーキャップ１０２の把持部分３００の異なる部分及び／又は他の構成要素に配設される。本開示で使用する場合、容器の最外点とは、長手方向軸から延び、それに対して直角な線又は半径に沿った方向において、容器の中央長手方向軸から最も遠くに配設される容器の点である。本開示で使用する場合、オーバーキャップの最外点とは、オーバーキャップが容器に結合されたときに、長手方向軸から延び、それに対して直角な線又は半径に沿った方向で測定される、容器の中央長手方向軸から最も遠く配設される容器の点である。
【００６７】
本開示の図１８を見ると分かるように、たとえば、放出システム１００の占有面積は、オーバーキャップ１０２の部分よりも大きい直径を有する容器１０４を提供する。興味深いことに、同様の噴霧器システムにおいて従来見られるよりも大きいトリガー１０８が提供される場合であっても、容器の容積を低減することなくこの占有面積が可能であった。実際には、従来の容器は、小型のトリガーを利用し、大型のトリガーが使用されるときに、しばしば、トリガーは容器の占有面積の外側まで延び、並びに／或いは、大型のトリガーをもつ特大のオーバーキャップに適応するために、容器の容積を低減しなければならない。開示した実施形態には、これらの欠点のいずれも存在しない。
【００６８】
非限定的な例として、標準的な容器は、約２４５〜約２５０ミリメートルの最上端部と最下端部との間の高さ寸法を含む。さらに、このような容器は、好ましくは約５２〜約６６ミリメートルの、より好ましくは約５８〜約５９ミリメートルの直径を有する。またさらに、典型的には、このような容器は、少なくとも８オンスの容積を有する。典型的には、従来の噴霧器においてより長いトリガーを利用するには、上記の容器寸法を維持するために、容器の占有面積又は最外直径を超えてこのようなトリガーを延ばすことが必要であった。しかしながら、本開示は、本明細書で開示するように容器の占有面積以内のトリガーを提供することによって、この課題に対する固有の解決策を提供する。好ましい１つの実施形態では、トリガーの最下端部（例えば、トリガー１０８の下端部４３８）は、容器の最上部分（たとえば、容器１０４のマウンティングカップ２００）の下方に延びる。
【００６９】
図１９は、図１〜図１８の放出システム１００の断面図であり、放出システム１００を実装するために採用され得る寸法を示している。図示の実施形態では、トリガー１０８の把持部分３００は凹状であり、トリガー１０８の回転軸４１４に対して直角な長手方向軸５５０がその上にある平面において、約４４．５ミリメートルの最小曲率半径ＲＳ１を有する。
【００７０】
トリガー１０８の把持部分３００と長手方向軸５５０の反対側にある、ハウジング１０６の第２の側壁５１４は凹状であり、上記平面に沿って約２３．５ミリメートルの最小曲率半径ＲＳ２を有する。したがって、第２の側壁５１４の最小曲率半径ＲＳ２は、トリガー１０８の把持部分３００の最小曲率半径ＲＳ１の約半分である。把持部分３００の曲率中心１１００は、第２の側壁５１４の曲率中心１１０２からオフセットしている。たとえば、図示の実施形態では、把持部分３００の曲率中心１１００は、第２の側壁５１４の曲率中心１１０２から、長手方向軸５５０に沿った方向に約８ミリメートルオフセットしている。図１９の把持部分３００の曲率中心１１００は、長手方向軸５５０に沿った方向において、容器１０４の最上点７１８から第２の側壁５１４の曲率中心１１０２よりも遠くにある。
【００７１】
図示の実施形態では、把持部分３００の曲率中心１１００は、第２の側壁５１４の曲率中心１１０２から、長手方向軸５５０に対して直角な方向に約１０６．８ミリメートル離間している。たとえば、把持部分３００の曲率中心１１００は、長手方向軸５５０に対して直角な方向において、長手方向軸５５０から約６６．３ミリメートルである。したがって、第２の側壁５１４の曲率中心１１０２は、長手方向軸５５０に対して直角な方向において、長手方向軸５５０から約４０．５ミリメートルである。他の実施形態では、把持部分３００の曲率中心１１００は、第２の側壁５１４の曲率中心１１０２から、他の距離及び／又は別様にオフセット及び／又は離間している。
【００７２】
図示の実施形態では、トリガー１０８の把持部分３００は、長手方向軸５５０に沿った方向に、約４８ミリメートル〜約５１ミリメートルの長さを有する。いくつかの実施形態では、把持部分３００は、長手方向軸５５０に沿った方向に、約４０ミリメートル〜約６０ミリメートルの長さを有する。図示の実施形態では、トリガー１０８の把持部分３００の最上点７２２は、長手方向軸５５０に沿って方向において、容器１０４の最上点７１８から約２９．５ミリメートルの距離である。トリガー１０８の把持部分３００の最下点７１６は、長手方向軸５５０に沿った方向において、容器１０４の最上点７１８の下方よりも約２０ミリメートル下方の距離に配設される。したがって、トリガー１０８の把持部分３００の約２／５は、長手方向軸５５０に沿った方向において、容器１０４の最上点７１８の下方に配設される。トリガー１０８の回転軸４１４は、長手方向軸５５０に沿った方向において、容器１０４の最上点７１８よりも約２０ミリメートル下方の距離に配設される。したがって、トリガー１０８の把持部分３００の最下点７１６は、長手方向軸５５０に沿った方向において、回転軸４１４よりも約４０ミリメートル下方の距離に配設される。
【００７３】
図１９をさらに参照すると、スカート５４２の第２の端部５２６上の最下点は、長手方向軸５５０に沿った方向において、容器１０４の最上点７１８よりも約１８．５ミリメートル下方の距離である。スカート５４２の第２の端部５２６上の最下点は、長手方向軸５５０に沿った方向において、オーバーキャップ１０２の最上点１１０４から約５９ミリメートルの距離である。図示の実施形態では、オーバーキャップ１０２の最上点１００４は、キャップ１１０の上面６４７に配設される。キャップ１１０の上面６４７の最下点１１０６は、長手方向軸５５０に沿った方向において、容器１０４の最上点７１８から約３０．５ミリメートルの距離である。図示の実施形態では、吐出口３０８は、長手方向軸５５０に対して直角な方向において、長手方向軸５５０から約２７．５ミリメートルの距離である。上記の寸法は例にすぎず、したがって、本開示の範囲から逸脱することなく、他の寸法を採用してもよい。
【００７４】
図示の実施形態では、トリガー１０８が第１の又は非作動位置にあるとき、オーバーキャップ１０２のウエスト１１０８は、約４０ミリメートル〜約４２ミリメートルである。いくつかの実施形態では、ウエスト１１０８は、約３０ミリメートル〜約５０ミリメートルである。本開示で使用する場合、オーバーキャップのウエストは、最小曲率半径を有するトリガーの把持部分（例えば、把持部分３００）の外面上の点から、最小曲率半径を有する把持部分に対向する側壁の外面上の点（例えば、第２の側壁５１４）まで最小距離である。図示の実施形態では、スカート５４２の最小厚さは、約０．６ミリメートルである。ただし、上記の寸法は例にすぎず、したがって、他の実施形態は、本開示の教示にしたがって他の寸法を採用することができる。上記の形状、寸法及び／又は割合により、ユーザは、放出システム１００を簡単に把持し、トリガー１０８を作動させることが可能になる。さらに、トリガー１０８の把持部分３００及びハウジング１０６の曲率は、オーバーキャップ１０２のウエスト１１０８で、又はその近くで放出システム１００を把持するようにユーザの手を方向付け、それより、ユーザの指は、トリガー１０８の把持部分３００の下端部４３８の上に、又は近くに配置される。いくつかの実施形態では、放出システム１００は、平均的なサイズの手のユーザ、平均的なサイズの手よりも小さい手のユーザ、及び平均的なサイズよりも大きい手のユーザが、実質的に同じ位置で（すなわち、ウエスト１１０８において、又はその近くで）放出システム１００を片手で把持し、トリガー１０８を作動させることができるようにサイズ設定される。
【００７５】
図２０は、トリガー接触点１２０２の第１の経路１２００及びマニホールド接触点１２０６の第２の経路１２０４を示している、トリガー１０８及びマニホールド６００の拡大側面図である。本開示で使用する場合、トリガー接触点とは、トリガーの作動中にマニホールドに接触するトリガー上の点であり、マニホールド接触点とは、トリガーの作動中にトリガーが接触するマニホールド上の点である。トリガー接触点１２０２は、トリガー１０８の第１の接触面４３０上にある。マニホールド接触点１２０６は、第１の突起６２４の係合面６４８上にある。マニホールド６００の第２の突起６２６は、第１の突起６２４の鏡像であり、第２の接触面４３２は、第１の接触面４３０の鏡像である。したがって、第１の突起６２４及び第１の接触面４３０に関する上記及び以下の説明は、第２の突起６２６及び第２の接触面４３２に適用可能である。冗長にならないように、第２の突起６２６上のマニホールド接触点と第２の接触面４３２上のトリガー接触点について別個には説明しない。
【００７６】
トリガー１０８が第１の位置から第２の位置まで移動するとき、第１のアーム４００は、容器１０４に向かって回転する。その結果、第１の接触面４３０は、容器１０４及び第２の側壁５１４に向かって（すなわち、図１７の配向では下向きに右に）移動する。第１の接触面４３０が第１の突起６２４の係合面６４８に接触するとき、マニホールド６００の第１の末端部分６０２は、容器１０４に向かって、かつ、トリガー１０８の把持部分３００に向かって（すなわち、図１７の配向では下向きに左に）移動する。その結果、第１の接触面４３０は、係合面６４８に沿って滑動し、したがって、トリガー１０８の作動中、トリガー接触点１２０２及びマニホールド接触点１２０６は変化する。トリガー接触点１２０２の第１の経路１２００は、トリガー１０８が第１の位置から第２の位置まで駆動する際の第１の突起６２４の係合面６４８の移動に実質的に対応する。マニホールド接触点１２０６の第２の経路１２０４は、トリガー１０８が第１の位置から第２の位置まで移動する際の第１の接触面４３０の移動に実質的に対応する。以下の表１は、トリガー１０８が第１の位置から第２の位置まで移動する際のトリガー接触点１２０２及びマニホールド接触点１２０６の例示的なベクトル成分を示す。
【００７７】
【表１】
0006527242.tif 000002
【００７８】
図２１は、トリガー１０８の作動中の、トリガー１０８の例示的な変位マグニチュード（変位の大きさ）に対する、トリガー１０８に印加される例示的な力のグラフ１３００である。図示の実施形態では、オーバーキャップ１０２が容器１０４に結合されていないときに力が判定され、したがって、この力は、バルブステム２０８を押下する力を含まない。図示の実施形態では、第１の位置から第２の位置までトリガー１０８を移動させる力は、約１８ニュートンの最大力まで増大する。トリガー１０８の最大変位マグニチュードは、約７．９３ミリメートルである。図示の実施形態では、約１．２１ミリメートルのマグニチュードから約７．９３ミリメートルのマグニチュードまでトリガー１０８を変位させるとき、トリガー１０８に印加される力とトリガー１０８の変位マグニチュードとの関係は実質的に線形である。他の実施形態では、力、変位マグニチュード、及び／又は力と変位マグニチュードとの関係は、図２１に示すものとは異なる。
【００７９】
図２２は、図１の線２２−２２に沿った、容器１０４及びオーバーキャップ１０２のハウジング１０６の拡大断面側面図であり、オーバーキャップ１０２を容器１０４に固定する代替的な突起１４００を示している。たとえば、図２２の突起１４００は、第２のフランジ５３２と協働して、ハウジング１０６を容器１０４上にスナップ嵌合し得る。図示の実施形態では、突起１４００は、三角形の断面形状を有する。他の実施形態では、突起１４００は、他の断面形状を有する。突起１４００は、ハウジング１０６から延び、第２のフランジ５３２から離間している。図示の実施形態では、突起１４００は、容器１０４のカール部分１４０２に接触し、その上に、オーバーキャップ１０２を容器１０４に固定するためにマウンティングカップ２００が配設される。いくつかの実施形態では、突起１４００は、マウンティングカップ２００に接触しない。他の実施形態では、突起１４００は、カール部分１４０２及びマウンティングカップ２００に接触する。
【００８０】
図２３は、図１〜図２１の放出システム１００の断面図であり、放出システム１００を実装するために採用され得る寸法を示している。図示の実施形態では、放出システム１００の高さＨ１は、約２４４．５ミリメートル〜約２４８．５ミリメートルである。放出システム１００の高さＨ１は、放出システム１００の長手方向軸５５０に沿った方向において、オーバーキャップ１０２の最上点１１０４から容器１０４の最下点１５００まで測定される。容器１０４の高さＨ２は、約２０５ミリメートル〜約２０８ミリメートルである。容器１０４の高さＨ２は、放出システム１００の長手方向軸５５０に沿って、容器１０４の最上点７１８から容器１０４の最下点１５００まで測定される。したがって、オーバーキャップ１０２は、長手方向軸５５０に沿った方向において、容器１０４の最上点７１８よりも約４０ミリメートル上方に高さＨ３延びる。その結果、オーバーキャップ１０２は、放出システム１００の高さＨ１の約１／６〜約１／７を占める。したがって、本明細書で開示する放出システム１００のオーバーキャップ１０２は、従来の放出システムのオーバーキャップよりも小さく、及び／又はコンパクトである。その結果、放出システム１００と同じ高さＨ１及び同じ占有面積（たとえば、図１８の占有面積１０００）をもつ従来の放出システムに関して、より大きい高さを、したがって、より大きい容積を有する容器（たとえば、容器１０４）が放出システム１００により採用され得る。 
【００８１】
図２４は、オーバーキャップ１０２のハウジング１０６の第１の開口５００にまたがる脆弱な又は壊れやすい梁１６０１を有する開封防止デバイス１６００を含む放出システム１００の斜視図である。図示の実施形態では、トリガー１０８は示されていない。図２４の梁１６０１は、第１の又は非破損状態で示されている。トリガー１０８が第１の時間にわたって作動していないとき、梁１６０１は第１の状態である。梁１６０１が第１の状態であるとき、梁の第１の端部１６０２及び第２の端部１６０４は、ハウジング１０６に結合される（たとえば、ハウジング１０６と一体に形成される）。
【００８２】
図２４の梁１６０１は、放出システム１００の長手方向軸５５０に対して実質的に水平である、又は直角である。他の実施形態では、梁１６０１は、別様に配向される。第１のレッグ１６０６及び第２のレッグ１６０８は、梁１６０１を支持する。図示の実施形態では、第１のレッグ１６０６及び第２のレッグ１６０８は、第２のフランジ５３２から延びている。いくつかの実施形態では、梁１６０１と第１のレッグと１６０６と第２のレッグ１６０８とハウジング１０６とは、一体に形成される。他の実施形態では、梁１６０１は、他の方法でハウジング１０６に結合され得る。
【００８３】
トリガー１０８が非作動状態にあるとき、梁１６０１は、トリガー１０８の第１のアーム４００、第２のアーム４０２及び第３のブレース４２０（図４及び図５）の下方に配設される。トリガー１０８が第１の時間にわたって作動されると、トリガー１０８は、容器１０４に向かって回転し、第１のアーム４００、第２のアーム４０２及び／又は第３のブレース４２０が梁１６０１に接触する。その結果、トリガー１０８は、梁１６０１に、ハウジング１０６から梁１６０１の第１の端部１６０２及び第２の端部１６０４を切り離す、又は分離するのに十分な力を印加する。梁１６０１がハウジング１０６から切り離されている、また分離されているとき、梁１６０１は第２の又は破壊状態にある。ユーザがトリガー１０８をさらに握りしめると、開封防止デバイス１６００は、長手方向軸５５０に向かって屈曲又は傾斜して、トリガー１０８が作動位置まで移動することが可能になる。たとえば、梁１６００に印加された力は、脚１６０６、１６０８を長手方向軸５５０に向かって屈曲させることができる。いくつかの実施形態では、梁１６０１には、梁１６０１及び／又は脚１６０６、１６０８から分離する、又は切断される部分は実質的にはない。トリガー１０８が第２の時間にわたって作動させられるとき、トリガー１０８は梁１６０１に接触し、梁１６０１に力を印加する。結果として、開封防止デバイス１６００は、長手方向軸５５０に向かって屈曲又は傾斜して、トリガー１０８が作動位置まで移動することが可能になる。いくつかの実施形態では、開封防止デバイス１６００が屈曲又は傾斜するとき、梁１６０１及び／又は脚１６０６、１６０８は、トリガー１０８にばね力を印加し、それにより、非作動位置に向かってトリガー１０８を付勢する、又は押し進める。
【産業上の利用可能性】
【００８４】
本明細書で開示する例は、容器から流体製品を放出又は吐出するために使用することができる。
【００８５】
上記の説明を考慮すると、当業者には、本明細書で開示する例に対する多数の変更が明らかになるであろう。したがって、本開示は、例示的なものにすぎないと解釈すべきであり、当業者が、請求項に記載された発明を実施及び使用すること、並びに当該発明を実施する最良の形態を教示することを可能にする目的で提示される。特許請求の範囲内となる全ての変更に対する独占権を保有する。全ての特許及び公報は、参照により組み込まれる。
【図１】
0006527242.tif 000003
【図２】
0006527242.tif 000004
【図３】
0006527242.tif 000005
【図４】
0006527242.tif 000006
【図５】
0006527242.tif 000007
【図６】
0006527242.tif 000008
【図７】
0006527242.tif 000009
【図８】
0006527242.tif 000010
【図９】
0006527242.tif 000011
【図１０】
0006527242.tif 000012
【図１１】
0006527242.tif 000013
【図１２】
0006527242.tif 000014
【図１３】
0006527242.tif 000015
【図１４】
0006527242.tif 000016
【図１５】
0006527242.tif 000017
【図１６】
0006527242.tif 000018
【図１７】
0006527242.tif 000019
【図１８】
0006527242.tif 000020
【図１９】
0006527242.tif 000021
【図２０】
0006527242.tif 000022
【図２１】
0006527242.tif 000023
【図２２】
0006527242.tif 000024
【図２３】
0006527242.tif 000025
【図２４】
0006527242.tif 000026